(57)【要約】【課題】複写機／プリント装置における操作性向上。【解決手段】複写機／プリント装置の前カバーを左右方向に動作可能にする。【選択図】        図１
2004167858.tif 000002
【特許請求の範囲】
【請求項１】
シート材に画像を形成する画像形成手段と、前記画像形成手段を内部に配する筐体と、前記筐体のユーザーの主操作面に取り付き、前記筐体の最も外側に取り付く開閉可能な１つ以上のカバーを有する複写機及びプリント装置において、
前記カバーは前記ユーザーの主操作面に対し左右方向かつ、前記筐体設置面に対し平行に動作可能なことを特徴とする複写機及びプリント装置。
【請求項２】
前記複数のカバーが、前記複数のカバー同士それぞれを回転可能に接続するヒンジ部を有し、ある一方の末端に接続されたカバーが、前記筐体に接続されることを特徴とする請求項１に記載の複写機及びプリント装置。
【請求項３】
前記複数のカバー同士それぞれが回転可能に接続するヒンジ部を有する前記複数のカバーで、ある一方の末端に接続されたカバーは前記筐体に回転可能に接続され、前記筐体に接続されるカバーの反対端部に配置されるカバーが、移動方向に対し垂直な方向にガイド部材を配され、前記筐体側に前記ガイド部材を案内する案内部材を有することを特徴とする請求項１に記載の複写機及びプリント装置。
【請求項４】
前記カバーは、前記カバーを決められたある方向に動作させるための１つ以上の把手を有し、前記把手は前記カバーの決められたある方向に、直交する方向に配置されることを特徴とする請求項１に記載の複写機及びプリント装置。
【請求項５】
前記把手において、前記把手は、前記カバーの決められたある方向に、直交する方向で、かつ前記カバーの直交する面全てに配置されることを特徴とする請求項４に記載の複写機及びプリント装置。
【請求項６】
シート材に画像を形成する画像形成手段と、画像形成手段を操作する操作部と、前記画像形成手段を内部に配する筐体と、前記筐体のユーザーの主操作面に取り付き、前記筐体の最も外側に取り付く開閉可能な１つ以上のカバーを有する複写機及びプリント装置において、
前記カバーは決められたある方向に動作させるための１つ以上の把手を有し、前記把手は、前記操作部の略直下に配置されることを特徴とする請求項１に記載の複写機及びプリント装置。
【請求項７】
前記把手は、前記カバーの決められたある方向に、直交する方向に配置されることを特徴とする請求項６に記載の複写機及びプリント装置。
【請求項８】
前記把手において、前記把手は、前記カバーの決められたある方向に、直交する方向で、かつ前記カバーの直交する面全てに配置されることを特徴とする請求項６に記載の複写機及びプリント装置。
【発明の詳細な説明】
【０００１】
【発明の属する技術分野】
本発明は、シート材上に電子写真方式やインクジェット方式などの、画像形成手段により画像形成が可能な主にオフィス等で使用される複写機、プリンタなどに関する。
【０００２】
【従来の技術】
近年、デジタル複写機のスキャナ、プリンタを利用してファクシミリ通信を行ったり、あるいはデジタル複写機のプリンタを使用して、コンピュータからのコードデータをビットマップイメージデータに展開してプリントアウト可能な複合機が実用化されている。
【０００３】
また、このような複合化は、例えば複写機能と、ファクシミリ機能、プリンタフォーマッタ機能、画像電子ファイル機能、イメージメモリ機能などのうち、３つ以上の機能を１つのユニットとして構成されており、さらに高付加価値化へと機能処理の充実化が図られている。
【０００４】
高付加価値を有したデジタル複写機の使用される場所は、オフィスはもとよりコンビニエンスストア等に代表される販売店で使用されることもでてきており、様々なユーザーが複写機を利用するようになってきた。
【０００５】
【発明が解決しようとする課題】
従来の複写機について図１０に示す。図１０における複写機Ｃｐは、装置内での処理（例えばトナーの補給・トナーボトルの交換・用紙詰まり等）を行うために、装置前側のドア（以下前ドア１）を装置の前面から見てどちらか片側を支点にして前ドア１を回転させて内部の処理を行う。
【０００６】
ここで上述の複写機Ｃｐは限られたスペースに設置され使用され場合が多く、前ドア１を回転させる回転スペースが必要であった。
【０００７】
上述の回転スペースに関するとりあえずの解決策は、必要なスペースを確保すればよい。
【０００８】
しかしながら、前項で述べたように近年複写機Ｃｐは様々なユーザーが使用することになってきていることもあり、そのユーザーの中には、車椅子を使用するユーザーがいる。
【０００９】
車椅子を使用するユーザーが、前ドア１を開いて処理をする場合、前ドア１の回転スペースに入ることが困難であり、前ドア１を開く動作で、前ドア１を開きながら前ドア１の回転と共に自身を移動させる必要が生じる。
【００１０】
限られたスペースの中で、前ドア１の回転スペースだけを開けて設置された複写機Ｃｐで、車椅子を使用するユーザーがこの操作を行う場合、前ドア１の回転と共に自身を移動させる動作で、障害物などに接触することがあり、車椅子を使用するユーザーにとって、回転式の前ドア１を開けて処理をすることは困難極まりない処理であった。
【００１１】
本発明は、上記問題点を解決するためになされたもので、複写機前ドアを開けての処理におけるユーザーの前ドア開閉動作において、その場を移動しなくても良いようにすることを目的とする。
【００１２】
【発明の実施の形態】
以下、図面を参照して、本発明を適用した複写機・プリンタの実施形態について具体的に説明する。
【００１３】
なお、前述した実施形態と同一機能を有する部材には同符号を付し、説明は省略する。
【００１４】
（実施例１）
図１を用いて本発明を適用した第１の実施形態について説明する。
【００１５】
図１において、複写機Ｃｐは複写機Ｃｐを操作するための操作部Ｓを有している。複写機Ｃｐの操作面側を覆う前ドア２は、複写機Ｃｐの操作方向面に対し横（矢印Ａ）方向にスライド可能するためのガイド面１５を前ドア２の上面と下面に配置してある。
【００１６】
前記ガイド面１５を受け、前ドア２を所定の方向にスライドし、案内する案内部材１６を複写機Ｃｐの、前ドア２のガイド面１５が対応する部分に設けている。
【００１７】
ここで、前カバー２を開閉するために必要な前カバー２の取っ手２０，２１について説明する。
【００１８】
まずスライド方向に対し最も下流側の前カバー２側面と前カバー２の前面に、スライド方向に直交する方向で、直交する面全てに前カバーを開閉するための取っ手２０が配置される。
【００１９】
直交する面全てに取っ手２０を配置することで、複写機Ｃｐの高さ方向の前カバー２が占有する領域全てにおいて、開閉動作における取っ手のアクセスが可能になり、最も操作がしやすくなる。
【００２０】
次に取っ手２１は、複写機Ｃｐに配置される操作部Ｓの略直下に配置される。さらに取っ手２０と同様に、スライド方向に直交する方向で、前カバー２全ての領域に配置される。
【００２１】
通常複写機Ｃｐの操作は操作部Ｓの正面にて行われる。操作部Ｓの略直下に取っ手２０を配置することにより、最も取っ手へのアクセスがしやすい。
【００２２】
上述のような構成をとることにより、複写機前ドアを開けての処理におけるユーザーの前ドア開閉動作においてその場を移動しなくても良くなる。
【００２３】
さらに、矢印Ａによる前ドア２のスライド方向は、反対方向である破線矢印Ｂ方向であってもよい。
【００２４】
（実施例２）
図２を用いて本発明を適用した第２の実施形態について説明する。
【００２５】
図２において、前ドア３ａ、３ｂは、２枚で構成されている。前記各々の前ドア３ａ、３ｂは、複写機Ｃｐの操作方向面に対し、それぞれ矢印Ｃ，Ｄ方向にスライド可能するためのガイド面１５ａ、１５ｂを前ドア３ａ、３ｂの上面と下面に配置してある。
【００２６】
前記ガイド面１５ａ、１５ｂを受け、前ドア３ａ、３ｂを所定の方向にスライドし、案内する案内部材１６を複写機Ｃｐの、前ドア３ａ、３ｂのガイド面１５ａ、１５ｂが対応する部分に設けている。
【００２７】
ここで、前カバー３ａ、３ｂを開閉するために必要な前カバー３ａ、３ｂの取っ手２２ａ、２２ｂについて説明する。
【００２８】
取っ手２２ａ、２２ｂは、複写機Ｃｐに配置される操作部Ｓの略直下に配置される。さらに取っ手２２ａ、２２ｂは、スライド方向に直交する方向で、前カバー３ａ、３ｂ全ての領域に配置される。
【００２９】
通常複写機Ｃｐの操作は操作部Ｓの正面にて行われる。操作部Ｓの略直下に取っ手２２ａ、２２ｂを配置することにより、最も取っ手へのアクセスがしやすい。
【００３０】
上述のような構成をとることにより、複写機前ドアを開けての処理におけるユーザーの前ドア開閉動作においてその場を移動しなくても良くなる。
【００３１】
（実施例３）
図３を用いて本発明を適用した第３の実施形態について説明する。
【００３２】
図３において、前ドア４は、複数（前ドア４ａ・ｂ・ｃ…ｚ）に分割されている。
【００３３】
複数の前ドア４ａ・ｂ・ｃ…ｚは、回転可能なヒンジ部９、１０を有している。そして、複数の前ドア４ａ・ｂ・ｃ…ｚは回転可能なヒンジ部９、１０を介して互いに結合されている（図４）。
【００３４】
複数の前ドア４ａ・ｂ・ｃ…ｚのうちスライドメンバーの最も下流にある前ドア４ｚは、突起部８を有し、複写機Ｃｐに回転可能に固定される。
【００３５】
前記複数の前ドア４ａ・ｂ・ｃ…ｚで構成される前ドア４のスライド軌跡を確実にするため、複数の前ドア４ａ・ｂ・ｃ…ｚのスライドメンバーの先頭である前ドア４ａのスライド方向に対し直角方向に、スライド軌跡保証のためのガイド部材７を設け、複写機Ｃｐに前記ガイド部材７案内する案内部材１６を設けることで、安定した前ドア４の開閉が可能になる。
【００３６】
ここで、前カバー４を開閉するために必要な前カバー４の取っ手２３，２４について説明する。
【００３７】
まずスライド方向に対し最も下流側の前カバー４ａの側面と前カバー４ａの前面に、スライド方向に直交する方向で、直交する面全てに前カバーを開閉するための取っ手２３が配置される。
【００３８】
直交する面全てに取っ手２３を配置することで、複写機Ｃｐの高さ方向の前カバー４ａが占有する領域全てにおいて、開閉動作における取っ手のアクセスが可能になり、最も操作がしやすくなる。
【００３９】
次に取っ手２４は、複写機Ｃｐに配置される操作部Ｓの略直下に配置される。さらに取っ手２３と同様に、スライド方向に直交する方向で、前カバー４全ての領域に配置される。
【００４０】
通常複写機Ｃｐの操作は操作部Ｓの正面にて行われる。操作部Ｓの略直下に取っ手２４を配置することにより、最も取っ手へのアクセスがしやすい。
この構成における前ドア４の動作は以下である。
【００４１】
前ドア４ａ・ｂ・ｃ…ｚは前ドアを閉めた状態では、図５のようになり、複写機  内部を見えない状態にする。
【００４２】
次に前ドア４を開ける過程（図６）において、前記回転可能なヒンジ部９，１０で、前ドア４ａ・ｂ・ｃ…ｚは互いに回転し、スライド方向に対し順次いわゆるアコーディオンのような形で、複写機Ｃｐの操作方向面に対し横（矢印Ａ）方向にスライドされ、複写機Ｃｐ内部の処理を可能にする。
【００４３】
同様に矢印Ａによる前ドア４のスライド方向は、反対方向である破線矢印Ｂ方向であってもよい。
【００４４】
（実施例４）
図７を用いて本発明を適用した第３の実施形態について説明する。
【００４５】
図７において、前ドア５は、（実施例３）における図３と同様に、複数（前ドア５ａ・ｂ・ｃ…ｚ）に分割されている。
【００４６】
複数の前ドア５ａ・ｂ・ｃ…ｚは、回転可能なヒンジ部９、１０を有している。そして、複数の前ドア５ａ・ｂ・ｃ…ｚは回転可能なヒンジ部９、１０を介して互いに結合されている。
【００４７】
複数の前ドア５ａ・ｂ・ｃ…ｚのうちスライドメンバーの最も下流にある前ドアｚは、回転軸１１を有し複写機Ｃｐに回転可能に固定される。
【００４８】
前記複数の前ドア前ドア５ａ・ｂ・ｃ…ｚで構成される前ドア５のスライド軌跡を確実にするため、複数の前ドア５ａ・ｂ・ｃ…ｚのスライドメンバーの先頭である前ドア５ａのスライド方向に対し直角方向に、スライド軌跡保証のためのガイド部材７を設け、複写機Ｃｐに前記ガイド部材７を案内する案内部材１６を設けることで、安定した前ドア５の開閉が可能になる。
【００４９】
ここで、前カバー５を開閉するために必要な前カバー５の取っ手２３，２４について説明は、（実施例３）と同様のため説明を省略する。
【００５０】
この構成における前ドア５の動作は以下である。
【００５１】
前ドア５ａ・ｂ・ｃ…ｚは前ドアを閉めた状態では、図８のようになり複写機Ｃｐ内部を見えない状態にする。
【００５２】
次に前ドアを開ける過程において、前ドア５ｚが固定される回転軸１１を中心にし、前ドア５ａ・ｂ・ｃ…ｚはそのスライド量に応じて、回転軸１１が矢印Ｃ方向に回転し、前ドア５ａ・ｂ・ｃ…ｚを順次巻き取っていき、複写機Ｃｐの操作方向面に対し横（矢印Ａ）方向にスライドされ、複写機Ｃｐ内部の処理を可能にする。
【００５３】
同様に矢印Ａによる前ドア５のスライド方向は、反対方向である破線矢印Ｂ方向であってもよい。
【００５４】
上述のような構成をとることにより、複写機前ドアを開けての処理におけるユーザーの前ドア開閉動作においてその場を移動しなくても良くなる。
【００５５】
ここで、（実施例３）及び（実施例４）における実施形態では、複数の前ドア４ａ・ｂ・ｃ…ｚ及び前ドア５ａ・ｂ・ｃ…ｚを結合させる回転可能なヒンジ部９、１０は、図３の図示において、ピンと穴ので結合することを図示したが、本発明はこれに限定されるものではなく、例えばゴムなどの弾性体で結合しても良く、該複写機及びプリント装置の前カバーに本発明を適用することにより、同様の効果が得られる。
【００５６】
また（実施例３）における実施形態では、スライド方向に対し最も下流にある前ドア４ａのみに、前ドア４のスライド軌跡を保証するガイド部材７を設けたが、本発明はこれに限定されるものではなく、例えば前ドア４を構成する複数の前ドア４ａ・ｂ・ｃ…ｚ全てにガイド部材７を設けてもよく、該複写機及びプリント装置の前カバーに本発明を適用することにより、同様の効果が得られる。
【００５７】
【発明の効果】
以上に説明した構成をとることで、複写機前ドアの開閉動作について、省スペース化を図ることが可能になり、様々なユーザーに対し処理しやすい複写機及びプリンタを提供することが可能になる。
【図面の簡単な説明】
【図１】本発明における第１の実施形態を示す斜視図。
【図２】本発明における第２の実施形態を示す斜視図。
【図３】本発明における第３の実施形態における複数前カバーを示す斜視図。
【図４】本発明における第３の実施形態における複数前カバーの結合状態を示す斜視図。
【図５】本発明における第３の実施形態における前カバーが閉じた状態を示す斜視図。
【図６】本発明における第３の実施形態における前カバーが開いた状態を示す斜視図。
【図７】本発明における第４の実施形態における複数の前カバーの結合状態を示す斜視図。
【図８】本発明における第４の実施形態における前カバーが閉じた状態を示す斜視図。
【図９】本発明における第４の実施形態における前カバーが開いた状態を示す斜視図。
【図１０】従来の前ドア構成を示す斜視図。
【図１】
2004167858.tif 000003
【図２】
2004167858.tif 000004
【図３】
2004167858.tif 000005
【図４】
2004167858.tif 000006
【図５】
2004167858.tif 000007
【図６】
2004167858.tif 000008
【図７】
2004167858.tif 000009
【図８】
2004167858.tif 000010
【図９】
2004167858.tif 000011
【図１０】
2004167858.tif 000012